(57)【特許請求の範囲】
【請求項１】
固定子鉄心に対して巻回された複数の固定子巻線を有する固定子と、上記固定子鉄心内にエアギャップを介して配置された回転子鉄心を有する回転子とからなる回転電機の回転子軸心位置測定方法であって、
上記複数の固定子巻線のうち上記回転子の回転軸に対して対称関係になるよう対向している一対の固定子巻線を測定時に並列に接続するとともに、上記並列に接続された一対の固定子巻線に交流電圧源により電流を流し、上記並列に接続された一対を構成している固定子巻線のうちの一の固定子巻線に流れる電流値と他の固定子巻線に流れる電流値との差を電流測定手段により測定するとともに、上記複数の固定子巻線のうちの上記一対の固定子巻線以外の固定子巻線であって、上記回転子の回転軸に対して対称関係になるよう対向している他の一対の固定子巻線の一の固定子巻線に上記並列に接続された一対の固定子巻線に流れる電流によって発生する誘起電圧と他の固定子巻線に上記並列に接続された一対の固定子巻線に流れる電流によって発生する誘起電圧との差を測定し、
上記一対の固定子巻線の電流値の差及び上記他の一対の固定子巻線の誘起電圧差と、上記固定子の中心と上記回転子の軸心位置とのずれの量及びずれの方向との予め求められた関係特性と上記電流差及び上記誘起電圧差の測定結果に基づいて上記ずれの量及び上記ずれの方向を測定することを特徴とする回転電機の回転子軸心位置測定方法。
【請求項２】
固定子鉄心に対して巻回された複数の固定子巻線を有する固定子と、上記固定子鉄心内にエアギャップを介して配置された回転子鉄心を有する回転子とからなる回転電機の回転子軸心位置測定装置であって、
上記複数の固定子巻線のうち測定時に並列に接続された上記回転子の回転軸に対して対称関係になるよう対向している一対の固定子巻線に電流を流すための交流電圧源と、上記並列に接続された一対を構成している固定子巻線のうちの一の固定子巻線に流れる電流値と他の固定子巻線に流れる電流値との差を測定する電流測定手段と、
上記複数の固定子巻線のうちの上記一対の固定子巻線以外の固定子巻線であって、上記回転子の回転軸に対して対称関係になるよう対向している他の一対の固定子巻線の一の固定子巻線に上記並列に接続された一対の固定子巻線に流れる電流によって発生する誘起電圧と他の固定子巻線に上記並列に接続された一対の固定子巻線に流れる電流によって発生する誘起電圧との差を測定する誘起電圧測定手段と、上記一対の固定子巻線の電流値の差及び上記他の一対の固定子巻線の誘起電圧差と、上記固定子の中心と上記回転子の軸心位置とのずれの量及びずれの方向との関係特性を定義したテーブルと、このテーブルと上記電流測定手段により測定した電流差及び上記誘起電圧測定手段により測定した誘起電圧差とから上記固定子の中心と上記回転子の軸心位置とのずれの量及びずれの方向を検出する手段とを設けたことを特徴とする回転電機の回転子軸心位置測定装置。
【請求項３】
上記誘起電圧測定手段は、上記誘起電圧差を増幅するための差動増幅器と、上記交流電圧源の電圧信号の位相を調整するための位相調整器と、上記増幅された信号を上記位相調整器の出力信号と乗算するための乗算器と、乗算された信号から直流成分を抽出するためのローパスフィルタとを備えたことを特徴とする請求項２記載の回転電機の回転子軸心位置測定装置。
【請求項４】
固定子鉄心に対して巻回された複数の固定子巻線を有する固定子と、上記固定子鉄心内にエアギャップを介して配置された回転子鉄心を有する回転子とからなる回転電機の回転子軸心位置測定装置であって、
測定時に並列に接続された上記回転子の回転軸に対して対称関係になるよう対向している少なくとも２対の固定子巻線に同時に電流を流すための１つの交流電圧源と、上記並列に接続された各一対を構成している固定子巻線のうちの一の固定子巻線に流れる電流値と他の固定子巻線に流れる電流値との差を測定する電流測定手段と、上記各一対の固定子巻線の電流値の差と、上記固定子の中心と上記回転子の軸心位置とのずれの量及びずれの方向との関係特性を定義したテーブルと、このテーブルと上記電流測定手段により測定した電流差とから上記固定子の中心と上記回転子の軸心位置とのずれの量及びずれの方向を検出する手段とを設け、
更に上記電流測定手段は上記一の固定子巻線及び上記他の固定子巻線に対してそれぞれ直列に接続された同一抵抗値を有する抵抗器にかかる電圧の差を測定するとともにこの電圧差を増幅するための差動増幅器と、上記交流電圧源の電圧信号の位相を調整するための位相調整器と、上記増幅された信号を上記位相調整器の出力信号と乗算するための乗算器と、乗算された信号から直流成分を抽出するためのローパスフィルタとを備えたことを特徴とする回転電機の回転子軸心位置測定装置。
【発明の詳細な説明】
【技術分野】
【０００１】
この発明は回転電機における回転子軸心位置を測定するための方法及び装置に関するものであり、特に回転子の軸心位置がずれることによって電磁騒音を生じやすい小形の誘導電動機等の回転子の軸心位置測定方法及び装置に関するものである。
【背景技術】
【０００２】
従来の回転電機の回転子軸心位置測定方法では、固定子巻線のインダクタンスが固定子と回転子との間のエアギャップの長さに反比例することを利用して、固定子巻線のインダクタンスを各相ごとに測定し，各インダクタンス測定値における偏差から，エアギャップの長さの不均一性、すなわち回転電機の中心と回転子の軸心位置との間のずれ量を算出していた（特許文献１参照）。
【先行技術文献】
【特許文献】
【０００３】
【特許文献１】特開平０８−２２３８７５号公報（第５〜６頁、第４図、第５図）
【発明の概要】
【発明が解決しようとする課題】
【０００４】
従来の回転電機の回転子軸心位置測定方法は以上のように構成されていたので、各相の固定子巻線のインダクタンスを順次測定しなければならないため、各相毎に配線を切替える必要があり、測定時間が長くなるという問題点があった。また通常インダクタンス測定値の偏差は平均値に対して相対的に小さいため、偏差を算出する際の誤差を防ぐためには、インダクタンスの測定精度を上げなければならず、高価なインダクタンス測定装置が必要になってしまうという問題点があった。
【０００５】
この発明は上記のような問題点を解決するためになされたものであり、回転子の軸心位置と中心とのずれを高価な測定装置を用いず簡単な構成で、高精度かつ短時間に測定することができる回転電機の回転子軸心位置測定方法及び装置を提供することを目的としている。
【課題を解決するための手段】
【０００６】
この発明に係る回転電機の回転子軸心位置測定方法は、固定子鉄心に対して巻回された複数の固定子巻線を有する固定子と、上記固定子鉄心内にエアギャップを介して配置された回転子鉄心を有する回転子とからなる回転電機の回転子軸心位置測定方法であって、上記複数の固定子巻線のうち上記回転子の回転軸に対して対称関係になるよう対向している一対の固定子巻線を測定時に並列に接続するとともに、上記並列に接続された一対の固定子巻線に交流電圧源により電流を流し、上記並列に接続された一対を構成している固定子巻線のうちの一の固定子巻線に流れる電流値と他の固定子巻線に流れる電流値との差を電流測定手段により測定するとともに、上記複数の固定子巻線のうちの上記一対の固定子巻線以外の固定子巻線であって、上記回転子の回転軸に対して対称関係になるよう対向している他の一対の固定子巻線の一の固定子巻線に上記並列に接続された一対の固定子巻線に流れる電流によって発生する誘起電圧と他の固定子巻線に上記並列に接続された一対の固定子巻線に流れる電流によって発生する誘起電圧との差を測定し、上記一対の固定子巻線の電流値の差及び上記他の一対の固定子巻線の誘起電圧差と、上記固定子の中心と上記回転子の軸心位置とのずれの量及びずれの方向との予め求められた関係特性と上記電流差及び上記誘起電圧差の測定結果に基づいて上記ずれの量及び上記ずれの方向を測定するようにしたものである。
【０００７】
この発明に係る回転電機の回転子軸心位置測定装置は、固定子鉄心に対して巻回された複数の固定子巻線を有する固定子と、上記固定子鉄心内にエアギャップを介して配置された回転子鉄心を有する回転子とからなる回転電機の回転子軸心位置測定装置であって、上記複数の固定子巻線のうち測定時に並列に接続された上記回転子の回転軸に対して対称関係になるよう対向している一対の固定子巻線に電流を流すための交流電圧源と、上記並列に接続された一対を構成している固定子巻線のうちの一の固定子巻線に流れる電流値と他の固定子巻線に流れる電流値との差を測定する電流測定手段と、上記複数の固定子巻線のうちの上記一対の固定子巻線以外の固定子巻線であって、上記回転子の回転軸に対して対称関係になるよう対向している他の一対の固定子巻線の一の固定子巻線に上記並列に接続された一対の固定子巻線に流れる電流によって発生する誘起電圧と他の固定子巻線に上記並列に接続された一対の固定子巻線に流れる電流によって発生する誘起電圧との差を測定する誘起電圧測定手段と、上記一対の固定子巻線の電流値の差及び上記他の一対の固定子巻線の誘起電圧差と、上記固定子の中心と上記回転子の軸心位置とのずれの量及びずれの方向との関係特性を定義したテーブルと、このテーブルと上記電流測定手段により測定した電流差及び上記誘起電圧測定手段により測定した誘起電圧差とから上記固定子の中心と上記回転子の軸心位置とのずれの量及びずれの方向を検出する手段とを設けたものである。
【０００８】
又この発明に係る別の回転電機の回転子軸心位置測定装置は、固定子鉄心に対して巻回された複数の固定子巻線を有する固定子と、上記固定子鉄心内にエアギャップを介して配置された回転子鉄心を有する回転子とからなる回転電機の回転子軸心位置測定装置であって、測定時に並列に接続された上記回転子の回転軸に対して対称関係になるよう対向している少なくとも２対の固定子巻線に同時に電流を流すための１つの交流電圧源と、上記並列に接続された各一対を構成している固定子巻線のうちの一の固定子巻線に流れる電流値と他の固定子巻線に流れる電流値との差を測定する電流測定手段と、上記各一対の固定子巻線の電流値の差と、上記固定子の中心と上記回転子の軸心位置とのずれの量及びずれの方向との関係特性を定義したテーブルと、このテーブルと上記電流測定手段により測定した電流差とから上記固定子の中心と上記回転子の軸心位置とのずれの量及びずれの方向を検出する手段とを設け、更に上記電流測定手段は上記一の固定子巻線及び上記他の固定子巻線に対してそれぞれ直列に接続された同一抵抗値を有する抵抗器にかかる電圧の差を測定するとともにこの電圧差を増幅するための差動増幅器と、上記交流電圧源の電圧信号の位相を調整するための位相調整器と、上記増幅された信号を上記位相調整器の出力信号と乗算するための乗算器と、乗算された信号から直流成分を抽出するためのローパスフィルタとを備えたものである。
【発明の効果】
【０００９】
この発明に係る回転電機の回転子軸心位置測定方法によれば、固定子鉄心に対して巻回された複数の固定子巻線を有する固定子と、上記固定子鉄心内にエアギャップを介して配置された回転子鉄心を有する回転子とからなる回転電機の回転子軸心位置測定方法であって、上記複数の固定子巻線のうち上記回転子の回転軸に対して対称関係になるよう対向している一対の固定子巻線を測定時に並列に接続するとともに、上記並列に接続された一対の固定子巻線に交流電圧源により電流を流し、上記並列に接続された一対を構成している固定子巻線のうちの一の固定子巻線に流れる電流値と他の固定子巻線に流れる電流値との差を電流測定手段により測定するとともに、上記複数の固定子巻線のうちの上記一対の固定子巻線以外の固定子巻線であって、上記回転子の回転軸に対して対称関係になるよう対向している他の一対の固定子巻線の一の固定子巻線に上記並列に接続された一対の固定子巻線に流れる電流によって発生する誘起電圧と他の固定子巻線に上記並列に接続された一対の固定子巻線に流れる電流によって発生する誘起電圧との差を測定し、上記一対の固定子巻線の電流値の差及び上記他の一対の固定子巻線の誘起電圧差と、上記固定子の中心と上記回転子の軸心位置とのずれの量及びずれの方向との予め求められた関係特性と上記電流差及び上記誘起電圧差の測定結果に基づいて上記ずれの量及び上記ずれの方向を測定するようにしたので、回転子の軸心位置ずれの大きさ及び方向を簡単な構成で高精度に測定できる。
【００１０】
この発明に係る回転電機の回転子軸心位置測定装置によれば、固定子鉄心に対して巻回された複数の固定子巻線を有する固定子と、上記固定子鉄心内にエアギャップを介して配置された回転子鉄心を有する回転子とからなる回転電機の回転子軸心位置測定装置であって、上記複数の固定子巻線のうち測定時に並列に接続された上記回転子の回転軸に対して対称関係になるよう対向している一対の固定子巻線に電流を流すための交流電圧源と、上記並列に接続された一対を構成している固定子巻線のうちの一の固定子巻線に流れる電流値と他の固定子巻線に流れる電流値との差を測定する電流測定手段と、上記複数の固定子巻線のうちの上記一対の固定子巻線以外の固定子巻線であって、上記回転子の回転軸に対して対称関係になるよう対向している他の一対の固定子巻線の一の固定子巻線に上記並列に接続された一対の固定子巻線に流れる電流によって発生する誘起電圧と他の固定子巻線に上記並列に接続された一対の固定子巻線に流れる電流によって発生する誘起電圧との差を測定する誘起電圧測定手段と、上記一対の固定子巻線の電流値の差及び上記他の一対の固定子巻線の誘起電圧差と、上記固定子の中心と上記回転子の軸心位置とのずれの量及びずれの方向との関係特性を定義したテーブルと、このテーブルと上記電流測定手段により測定した電流差及び上記誘起電圧測定手段により測定した誘起電圧差とから上記固定子の中心と上記回転子の軸心位置とのずれの量及びずれの方向を検出する手段とを設けたので、回転子の軸心位置ずれの大きさ及び方向を簡単な構成で高精度に測定できる。
【００１１】
又この発明に係る別の回転電機の回転子軸心位置測定装置によれば、固定子鉄心に対して巻回された複数の固定子巻線を有する固定子と、上記固定子鉄心内にエアギャップを介して配置された回転子鉄心を有する回転子とからなる回転電機の回転子軸心位置測定装置であって、測定時に並列に接続された上記回転子の回転軸に対して対称関係になるよう対向している少なくとも２対の固定子巻線に同時に電流を流すための１つの交流電圧源と、上記並列に接続された各一対を構成している固定子巻線のうちの一の固定子巻線に流れる電流値と他の固定子巻線に流れる電流値との差を測定する電流測定手段と、上記各一対の固定子巻線の電流値の差と、上記固定子の中心と上記回転子の軸心位置とのずれの量及びずれの方向との関係特性を定義したテーブルと、このテーブルと上記電流測定手段により測定した電流差とから上記固定子の中心と上記回転子の軸心位置とのずれの量及びずれの方向を検出する手段とを設け、更に上記電流測定手段は上記一の固定子巻線及び上記他の固定子巻線に対してそれぞれ直列に接続された同一抵抗値を有する抵抗器にかかる電圧の差を測定するとともにこの電圧差を増幅するための差動増幅器と、上記交流電圧源の電圧信号の位相を調整するための位相調整器と、上記増幅された信号を上記位相調整器の出力信号と乗算するための乗算器と、乗算された信号から直流成分を抽出するためのローパスフィルタとを備えたので、所望の周波数の信号のみを抽出し、Ｓ／Ｎ比を向上させながら、回転子の軸心位置ずれの大きさ及び方向を簡単な構成で高精度に測定できる。
【図面の簡単な説明】
【００１２】
【図１】この発明の実施の形態１による回転電機の回転子軸心位置測定装置を示す回路図である。
【図２】回転電機を示す斜視図である。
【図３】回転電機を示す斜視図である。
【図４】回転電機を示す側面断面図である。
【図５】回転電機を示す平面断面図である。
【図６】回転電機を示す平面断面図である。
【図７】この発明の実施の形態２による回転電機の回転子軸心位置測定装置を示す回路図である。
【発明を実施するための形態】
【００１３】
実施の形態１．
以下この発明の一実施形態を図に基づいて説明する。図１はこの発明の実施の形態１による回転電機の回転子軸心位置測定装置を示す回路図である。本発明による回転電機の回転子軸心位置測定装置は、複数の固定子巻線１５ａ〜１５ｄに同時に交流電圧を印加する交流電圧源Ｖａｃと、回転子２を挟んで対向する位置関係にある１対の固定子巻線１５ａと１５ｃ、及び１対の固定子巻線１５ｂと１５ｄに流れる電流の差を測定する電流測定手段６とからなる。
【００１４】
回転子２を挟んで対向する位置関係にある固定子巻線１５ａと１５ｃは、中間端子１７ａを中継点として直列に結線されている。固定子巻線１５ａと１５ｃは、電流が固定子巻線１５ａ側の端子１６ａから中間端子１７ａを介して固定子巻線１５ｃ側の端子１６ｃに向かって流れたときに、互いの磁束が強まる向きに巻線されている。すなわち同一方向に電流が流れた場合、各巻線に発生する磁束の向きが同一となるように巻回されている。同様に固定子巻線１５ｂと１５ｄは中間端子１７ｂを中継点として直列に結線されている。
【００１５】
交流電圧源Ｖａｃの一方の端子は固定子巻線の中間端子１７ａ，１７ｂと接続されており，もう一方の端子は電流測定手段６内部の同一抵抗値を有する並列抵抗器Ｒａ〜Ｒｄと接続されている。並列抵抗器Ｒａ〜Ｒｄは端子１６ａ〜１６ｄを介して固定子巻線１５ａ〜１５ｄとそれぞれ直列接続されている。したがって固定子巻線１５ａ〜１５ｄは交流電圧源Ｖａｃと並列接続され，電流は中間端子１７ａ，１７ｂから端子１６ａ〜１６ｄの向き、あるいはその逆の向きに流れる。このように接続することで，交流電圧源Ｖａｃを作動すると、固定子巻線１５ａと１５ｃの間、及び固定子巻線１５ｂと１５ｄの間では互いの磁束を打消し合う向きの磁界が発生する。
【００１６】
交流電圧源Ｖａｃの電圧及び周波数は測定対象となる回転電機に対応して任意に設定できるが，発熱による固定子巻線１５ａ〜１５ｄの抵抗値変化を抑えるため，電流ができるだけ小さくなるように設定するのが望ましい。本実施形態においては，固定子巻線１５ａ〜１５ｄのインピーダンスが約５ｋΩ（周波数１００Ｈｚ）であるので，電流値が約１ｍＡになるよう，交流電圧源Ｖａｃの電圧を５Ｖ，周波数を１００Ｈｚに設定した。また抵抗器Ｒａ〜Ｒｄは固定子巻線のインピーダンスの約０．１倍である４７０Ωに設定した。
【００１７】
固定子巻線１５ａ，１５ｃに流れる電流Ｉａ，Ｉｃは，固定子巻線１５ａ，１５ｃに直列接続された抵抗器Ｒａ，Ｒｃにかかる電圧ＲａＩａ，ＲｃＩｃに比例するから，端子１６ａ，１６ｃの電圧を測定することにより抵抗器Ｒａ，Ｒｃにかかる電圧を測定することが出来る。端子１６ａ，１６ｃの電圧の差は差動増幅器６１に入力され約１０倍に増幅される。固定子巻線１５ｂと１５ｄに流れる電流Ｉｂ，Ｉｄについても同様であり、端子１６ｂ，１６ｄの電圧の差は差動増幅器６２に入力される。
【００１８】
増幅された信号にはノイズ成分（高周波成分）が含まれるため，以下の方法で所望の周波数（本例では１００Ｈｚ）の信号のみを抽出し、Ｓ／Ｎ比を向上させる。まず，交流電圧源Ｖａｃの電圧信号を位相調整器６７、６８に入力する。位相調整器６７、６８は，位相調整後の電圧信号が差動増幅器６１、６２の出力信号と同位相になるように，位相調整量を予め設定しておく。
【００１９】
次に位相調整器６７、６８の出力信号である基準周波数信号と差動増幅器６１、６２の出力信号とを乗算器６３、６４で乗じる。このとき差動増幅器６１、６２の出力信号のうち，交流電圧源Ｖａｃの電圧信号と等しい周波数の信号は直流成分として出力される。即ち位相調整器６７、６８の出力信号をcosｍωt、差動増幅器６１、６２の出力信号をcosｎωtとすると、乗算器６３、６４において両者を乗じることにより、
cosｍωt×cosｎωt＝｛cos（ｍ＋ｎ）ωt＋cos（ｍ−ｎ）ωt｝／２となるが、ｍ＝ｎであるから、(cos２ｍωt＋１)／２なる信号が得られることとなる。実際には位相調整器６７、６８は電源電圧cosωtの位相を調整するだけなので、ｍ＝ｎ＝１となり、
(cos２ωt＋１)／２なる信号が得られる。
【００２０】
この信号は、直流成分である１／２と、２倍数次であるcos２ωt／２に分解することができる。従って直流成分を透過し、２倍数次成分を遮断するようなローパスフィルタ６５、６６を通過させれば直流成分のみ取り出すことができ、電流の差Ｉｃ−Ｉａ及びＩｄ−Ｉｂに比例した信号を得ることができる。直流成分が得られるのはｍ＝ｎ＝１の場合のみであり、ノイズ成分（１＜ｎ）はｎ±１の２つの交流成分に分解されるだけである。したがって，ローパスフィルタ６５、６６の遮断周波数を十分低くしておけば（例えば0．1〜0．5×ω），ノイズ成分も遮断される。ここで電流の差Ｉｃ−Ｉａ及びＩｄ−Ｉｂと、固定子の中心と回転子の軸心位置とのずれの量及びずれの方向との関係特性を予め求めておき、この関係特性を示すテーブルを作成し、このテーブルに示された関係特性を参照することにより、電流の差Ｉｃ−Ｉａ及びＩｄ−Ｉｂからずれの量及びずれの方向を判別し、更には回転子２の軸心の位置ずれを調整する。
【００２１】
次に回転子２の軸心位置と固定子の中心軸とがずれた場合に，回転子２を挟んで対向する位置関係にある固定子巻線１５ａと１５ｃ（または１５ｂと１５ｄ）に流れる電流の差が生じる原理を説明する。図２，図３は本発明の測定対象となる回転電機を示す斜視図であり、図３においてはブラケットを取り除いた状態を示している。図４は軸方向に沿って切断した断面図である。図においては、固定子鉄心１１の歯数が４個の小形誘導電動機を示しているが、他の構成の回転電機にも適用可能である。
【００２２】
回転電機は固定子１，かご形回転子２，フレーム３及びブラケット４で構成されている。固定子１は固定子鉄心１１，インシュレータ１４及び固定子巻線から成る。固定子鉄心１１は環状の継鉄部１２と継鉄部１２から回転電機の中心軸方向に延設された４つの歯部１３ａ〜１３ｄとを備える。インシュレータ１４は２個で一対をなしており、固定子鉄心１１の歯部１３ａ〜１３ｄにブラケット４側とフレーム３側から嵌合されることにより固定されている。
【００２３】
ブラケット４側のインシュレータ１４の壁部上面には，すずめっきが施された銅製の端子１６が２本圧入固定されている。固定子巻線はインシュレータ１４の周囲に所定巻数だけ巻回されており，巻始め側と巻終わり側の端末線は端子１６にからげられ，はんだ接合されている。このように構成された固定子１は略円筒状のフレーム３の開口部に継鉄部１２の軸方向における一部分が露出するようにして圧入固定されている。
【００２４】
回転子２は回転子鉄心，導体２５，回転軸２６及び軸受２７ａ、２７ｂから構成されている。回転子鉄心は環状の継鉄部と、継鉄部から放射状に延設された歯部から成り，歯部と歯部との間の溝部にはアルミ製の導体２５がアルミダイキャスト製法によってインサート成形されている。回転子鉄心の中央部には回転軸２６が貫通して固定されており，回転軸２６のフレーム３側とブラケット４側にはそれぞれ軸受２７ａ，２７ｂの内輪がしまり嵌めされている。
【００２５】
軸受２７ａ、２７ｂの外輪はフレーム３とブラケット４の中央部に凹部を設けることにより構成されたハウジング３１，４１に隙間嵌めを施すことにより固定される。ブラケット４の内径と固定子継鉄部１２の外径との間には所定量の隙間が設けられており，この隙間の分により回転子２の軸心の位置ずれを調整できるようになっている。回転子２の軸心の位置ずれを調整した後，フレーム３のフランジ３２とブラケット４のフランジ４２を接触させ、レーザ溶接部８において溶接して固定する。
【００２６】
図５、図６は回転電機の軸に対して垂直な方向に沿って切断した断面図であり、図５は回転子の軸心と固定子の中心軸とが一致している場合、図６は回転子の軸心と固定子の中心軸とが一致していない場合を示している。図において、矢印はある瞬間に固定子巻線が発生する磁束７を表している。回転電機の内部には４つの磁極による磁束が形成されている。
【００２７】
図５において、固定子巻線１５ｄが発生した磁束７ａ，７ｃは，歯部１３ｄの先端からエアギャップ５を横断して回転子鉄心に進入し，回転軸２６の手前で左右両側に分岐する。二手に分かれた磁束７ａ，７ｃは，それぞれ再びエアギャップ５を横断して固定子鉄心１１の歯部１３ａ，１３ｃに進入し，固定子巻線１５ａ，１５ｃと鎖交した後，固定子鉄心１１の継鉄部１２を通って固定子鉄心１１の歯部１３ｄで再び合流して固定子巻線１５ｄに還る経路をたどる。他の固定子巻線１５ａ〜１５ｃが発生する磁束についても同様である。
【００２８】
回転子２の軸心位置にずれがない場合は，図５に示すように，回転子２を挟んで対向する位置関係にある固定子巻線１５ｂと１５ｄに鎖交する磁束はそれぞれ等しいため，固定子巻線１５ｂと１５ｄそれぞれの自己インダクタンスによって発生する逆起電力は等しくなる。従って，固定子巻線１５ｂと１５ｄには等しい電流が流れる。この関係は固定子巻線１５ａと１５ｃの間においても同様である。
【００２９】
一方図６に示すように，回転子２の軸心位置が固定子巻線１５ｄの方向にずれた場合には、エアギャップ５の長さは固定子巻線１５ｂ側よりも固定子巻線１５ｄ側の方が短いため，磁路抵抗は固定子巻線１５ｂ側よりも固定子巻線１５ｄ側の方が小さい。したがって固定子巻線１５ａ，１５ｃを鎖交する磁束７ａ，７ｃの大きさは固定子巻線１５ｂ，１５ｄ側において同一とはならず、固定子巻線１５ｄの方に多く偏る。
【００３０】
そのため，固定子巻線１５ｄにおいて、その自己インダクタンスにより発生する逆起電力は、対向する位置関係にある固定子巻線１５ｂにおいて、その自己インダクタンスにより発生する逆起電力より大きくなる。その結果，固定子巻線１５ｄに流れる電流は固定子巻線１５ｂに比べて少なくなる。他方固定子巻線１５ａ，１５ｃに鎖交する磁束は，図６に示すように等しいので，発生する逆起電力及び電流も等しくなる。この関係は回転子２の軸心位置が他の方向にずれた場合も同様である。
【００３１】
以上より，回転子２の軸心位置がずれた場合，エアギャップ５が小さくなる方向（すなわち回転子２が固定子１に近づく方向）の固定子巻線に流れる電流が，当該固定子巻線と回転子２を挟んで対向する位置にありエアギャップ５が大きくなる方向（すなわち回転子２が固定子１から遠ざかる方向）の固定子巻線に流れる電流と比べて小さくなることが分かる。従ってこれら１対の固定子巻線に流れる電流の差を測定することで，回転子２の軸心の回転電機の中心軸に対する位置ずれの方向と大きさを測定することができる。位置ずれの方向と大きさを測定する具体的手段は図１について説明したとおりである。
【００３２】
以上のような構成によれば，複数の固定子巻線１５ａ〜１５ｄに同時に交流電圧を印加する交流電圧源Ｖａｃを設けたことにより，複数方向の回転子の軸心位置ずれを同時に測定できるため測定時間が短くなる。また回転子２の回転軸２６に対して対称関係になるように対向する位置関係にある１対の固定子巻線に流れる電流の差を電流測定手段６を用いて測定することで，回転子の軸心位置ずれの大きさ及び方向を簡単な構成で高精度に測定でき、従って歩留まりを向上させることが出来る。又従来のように固定子巻線のインダクタンスを各相毎に測定する必要もなくなるので、測定のためのエネルギーを減少させることが出来る。
【００３３】
尚上記説明においては４つの固定子巻線を設けた場合を示したが、４つ以外の複数の固定子巻線を設けた場合でも本装置を適用することが出来る。例えば３相誘導電動機であればＵ相、Ｖ相、Ｗ相それぞれの固定子巻線に流れる電流をＩＵ、ＩＶ、ＩＷ、とすると、ＩＵ−ＩＶ、ＩＵ−ＩＷ、ＩＶ−ＩＷの電流差とずれの量及びずれの方向との関係特性を予め求めておき、この関係特性に基づいて上記ずれの量及び上記ずれの方向を測定するものである。
【００３４】
実施の形態２．
図７はこの発明の実施の形態２による回転電機の回転子軸心位置測定装置を示す回路図であり、本実施形態においては、固定子巻線に流れる電流の差を測定する代わりに，固定子巻線を開放して誘起電圧の差を測定したものである。固定子巻線１５ａ，１５ｃには，実施の形態１の場合と同様に交流電圧源Ｖａｃによって交流電圧を印加する。一方固定子巻線１５ｂ，１５ｄは，それぞれに鎖交する磁束が等しいときに端子１６ｂ、１６ｄ間の電圧が０になるように直列接続しておく。その他の構成は図１に示されたものと同様であり、又その動作も実施の形態１で説明したものと同様である。
【００３５】
固定子巻線１５ａ，１５ｃのみに交流電圧を印加した場合でも，回転電機内部の磁束の様子は図５，図６に示したようになる。例えば図６のように回転子２の軸心位置が固定子巻線１５ｄの方向にずれた場合，固定子巻線１５ｄに鎖交する磁束が，対向する位置関係にある固定子巻線１５ｂに鎖交する磁束よりも大きくなるため，固定子巻線１５ｄにおいて発生する誘起電圧が固定子巻線１５ｂにおいて発生する誘起電圧よりも大きくなる。従って固定子巻線１５ｂと１５ｄを直列接続した回路の電圧、即ち端子１６ｂ、１６ｄ間の電圧を測定すれば回転子軸心位置のずれを測定することができる。尚固定子巻線１５ａ、１５ｃに関しては、実施の形態１の場合と同様電流の差を測定する。そして電流値の差及び電圧差と、固定子の中心と回転子の軸心位置とのずれの量及びずれの方向との関係特性を予め求めておき、この関係特性を示すテーブルを作成し、このテーブルに示された関係特性を参照することにより、電流値の差及び電圧からずれの量及びずれの方向を判別し、更には回転子２の軸心の位置ずれを調整する。
【００３６】
即ち図６に示されるような場合、固定子巻線１５ｄにおいて発生する誘起電圧が固定子巻線１５ｂにおいて発生する誘起電圧よりも大きくなり、端子１６ｂ、１６ｄ間の電圧が０ではなくなるので、この電圧を差動増幅器６２によって増幅させ、実施の形態１と同様にして軸心位置の偏りを測定するのである。このような構成によれば，電流測定のための抵抗器Ｒｂ、Ｒｄが不要になり，実施の形態１の場合よりも更に構成を簡略化することが出来る。そして固定子巻線１５ａ、１５ｃに関しては、実施の形態１の場合と同様電流の差を測定する。即ち電流測定手段６は誘起電圧測定手段としても機能するものである。
【００３７】
上記説明においては、固定子巻線１５ａ、１５ｃに交流電圧を印加するようにしたが、固定子巻線１５ｂ、１５ｄに交流電圧を印加するような構成にしても良い。又図７においては、４つの固定子巻線を設けた場合を示したが、４つ以外の複数の固定子巻線を設けるようにしても良い。更には図７においては、固定子巻線１５ａ、１５ｃにそれぞれ流れる電流値の差を測定するための手段を設けた場合を示したが、このような手段を省略し、固定子巻線１５ａ、１５ｃには交流電圧源Ｖａｃにより交流電圧を印加するようにするとともに、固定子巻線１５ｂ、１５ｄの他に開放される固定子巻線を設け、これらの誘起電圧の差を測定するようにしても良い。
【符号の説明】
【００３８】
１  固定子、２  回転子、５  エアギャップ、６  電流測定手段、１１  固定子鉄心、
１５ａ〜１５ｄ  固定子巻線、２６  回転軸、６１，６２  差動増幅器、
６３，６４  乗算器、６５，６６  ローパスフィルタ、Ｒａ〜Ｒｄ  抵抗器、
Ｖａｃ  交流電圧源。
【図１】
0005511281.tif 000002
【図２】
0005511281.tif 000003
【図３】
0005511281.tif 000004
【図４】
0005511281.tif 000005
【図５】
0005511281.tif 000006
【図６】
0005511281.tif 000007
【図７】
0005511281.tif 000008